Podtech/llm-jp-corpus-v4-ja_patent huggingface dataset:
【手続補正書】
【提出日】平成17年1月20日(2005.1.20)
【手続補正１】
【補正対象書類名】特許請求の範囲
【補正対象項目名】全文
【補正方法】変更
【補正の内容】
【特許請求の範囲】
【請求項１】
小結節を解析するための方法であって、
前記小結節を含むディジタル画像を取得することと；
前記小結節の輪郭を取得するために前記小結節をセグメント化することと；
を有し、
前記セグメント化することは、
胸部画像から差分画像を生成すること、
前記小結節を含む関心のある領域におけるそれぞれの画像強度をあらわす差分画像強度等高線を識別すること、および
前記画像強度等高線に基づいて前記小結節の輪郭を取得すること
を含む方法。
【請求項２】
前記取得するステップは：
互いに所定の距離よりも少しだけ分離された３つの隣接する等高線を含む等高線の帯域を決定することと、前記小結節輪郭が前記等高線の帯域内にあることを識別することとを有する、請求項１の方法。
【請求項３】
前記輪郭を取得するステップは：
少なくとも前記等高線の一部分が前記帯域の底部から頂部への上部７０％の位置にあることを決定することを有する、請求項２の方法。
【請求項４】
前記輪郭を取得するステップは：
少なくとも前記等高線の一部分が前記帯域の底部から頂部への上部７０％の位置にあることを決定することを有する、請求項３の方法。
【請求項５】
前記輪郭に基づいて前記小結節の特徴を抽出することと；
少なくとも１つの画像クラシファイヤーに前記抽出された特徴を含む特徴を適用することと；
前記少なくとも一つの画像クラシファイヤーの出力に基づいて前記小結節の悪性の可能性を決定することと
をさらに有する、請求項１の方法。
【請求項６】
前記輪郭に基づいて前記小結節の特徴を抽出することと；
人工的なニューラルネットワーククラシファイヤーの前記抽出された特徴を含む特徴を適用することと；
前記人工的なニューラルネットワーククラシファイヤーの出力に基づいて前記小結節の悪性の可能性を決定することと
をさらに有する、請求項１の方法。
【請求項７】
前記悪性の可能性を決定するステップは：
前記人工的なニューラルネットワーククラシファイヤーの出力を所定の閾値と比較することと；
前記人工的なニューラルネットワーククラシファイヤーの出力が前記所定の閾値未満であるときに前記小結節が非悪性であると決定することと
を有する、請求項６の方法。
【請求項８】
前記輪郭に基づいて前記小結節の特徴を抽出することと；
前記抽出された特徴を含む特徴を線形弁別解析クラシファイヤーに適用することと；
前記線形弁別解析クラシファイヤーの出力に基づいて前記小結節の悪性の可能性を決定することと
をさらに有する、請求項１の方法。
【請求項９】
前記悪性の可能性を決定するステップは：
前記線形弁別解析クラシファイヤーの出力を所定の閾値と比較することと；
前記線形弁別解析クラシファイヤーの出力が前記所定の閾値未満であるときに前記小結節が非悪性であると決定することと
を有する、請求項８の方法。
【請求項１０】
前記輪郭に基づいて前記小結節の特徴を抽出することと；
前記抽出された特徴を含む特徴を人工的なニューラルネットワーククラシファイヤーおよび線形弁別解析クラシファイヤーに適用することと；
前記人工的なニューラルネットワーククラシファイヤーおよび前記線形弁別解析クラシファイヤーの出力に基づいて前記小結節の悪性の可能性を決定することと
をさらに有する、請求項１の方法。
【請求項１１】
前記悪性の可能性を決定するステップは：
前記人工的なニューラルネットワーククラシファイヤーおよび前記線形弁別解析クラシファイヤーの出力をそれぞれ所定の閾値と比較することと；
前記人工的なニューラルネットワーククラシファイヤーおよび前記線形弁別解析クラシファイヤーの両出力が前記それぞれの所定の閾値未満であるときに前記小結節が非悪性であると決定することと
を有する、請求項１０の方法。
【手続補正書】
【提出日】平成16年12月2日(2004.12.2)
【手続補正１】
【補正対象書類名】特許請求の範囲
【補正対象項目名】請求項１
【補正方法】変更
【補正の内容】
【請求項１】
複数のウェルを有する、ポリメラーゼ連鎖反応用途で使用するためのマイクロタイタープレートであって、シンジオタクチックポリスチレンを含む組成物からなる前記プレート。
【手続補正２】
【補正対象書類名】特許請求の範囲
【補正対象項目名】請求項５
【補正方法】変更
【補正の内容】
【請求項５】
複数のウェルを有する、ポリメラーゼ連鎖反応用途で使用するためのマイクロタイタープレートであって、環状オレフィンポリマーを含む組成物からなる前記プレート。
【手続補正書】
【提出日】平成15年10月20日(2003.10.20)
【手続補正１】
【補正対象書類名】明細書
【補正対象項目名】特許請求の範囲
【補正方法】変更
【補正の内容】
【特許請求の範囲】
【請求項１】
発現が腫瘍抑制、腫瘍復帰変異、アポトーシス、および／またはウイルス耐性に関与することを特徴とし、以下のものからなる群より選択されるヌクレオチド配列を含む、単離されたヌクレオチド配列：
a）配列番号：72、
b）a）に定義された配列の、少なくとも15個の連続したヌクレオチドのヌクレオチド配列、
c）最適なアライメントの後に、a）またはb）に定義された配列と、少なくとも80％の同一性を示すヌクレオチド配列、
d）高ストリンジェントな条件下で、a）またはb）に定義された配列とハイブリダイズするヌクレオチド配列、および
e）a）、b）、c）、またはd）に定義された配列に対応する、相補的ヌクレオチド配列またはRNA配列。
【請求項２】
請求項1記載のヌクレオチド配列によってコードされるポリペプチド。
【請求項３】
以下のものから選択されるポリペプチドを含むことを特徴とする、請求項2記載のポリペプチド：
a）請求項2記載のポリペプチド、
b）a）に定義されたポリペプチドと少なくとも80％の同一性を示すポリペプチド、
c）a）またはb）に定義されたポリペプチドの、少なくとも5個のアミノ酸の断片、
d）a）、b）、またはc）に定義されたポリペプチドの生物活性断片、および
e）a）、b）、c）またはd）に定義されたポリペプチドの改変ポリペプチド。
【請求項４】
請求項1記載のヌクレオチド配列を含む、または請求項2もしくは3記載のポリペプチドをコードすることを特徴とする、細胞発現ベクターおよび／またはクローニングベクター。
【請求項５】
アデノウイルス、レトロウイルス、ヘルペスウイルス、またはポックスウイルスから選択されるウイルスベクターであることを特徴とする、請求項4記載のベクター。
【請求項６】
裸の核酸を含むベクターであることを特徴とする、請求項4記載のベクター。
【請求項７】
組織特異的なターゲティングおよび／または発現を可能にする配列を含むことを特徴とする、請求項4〜6のいずれか一項記載のベクター。
【請求項８】
請求項4〜7のいずれか一項記載の発現ベクターによって形質転換された宿主細胞。
【請求項９】
請求項8記載の細胞を含むことを特徴とする、動物、好ましくはヒトを除く哺乳動物。
【請求項１０】
請求項2または3に記載されるポリペプチドを特異的に認識しうることを特徴とする、モノクローナル抗体、ポリクローナル抗体、これらの抗体の断片、またはキメラ抗体。
【請求項１１】
核酸配列の検出、同定、アッセイ法、および／または増幅のための、プローブまたはプライマーとしての、請求項1記載のヌクレオチド配列の使用。
【請求項１２】
インビトロにおける、センスヌクレオチドまたはアンチセンスヌクレオチドとしての、請求項1記載のヌクレオチド配列の使用。
【請求項１３】
組換えポリペプチドの産生のための、請求項1記載のヌクレオチド配列の使用。
【請求項１４】
組換えポリペプチド産生のための方法であって、請求項8記載の細胞を、該ポリペプチドの発現を可能にする条件下で使用すること、および該組換えポリペプチドを回収することを特徴とする方法。
【請求項１５】
請求項1記載の少なくとも1つのヌクレオチド配列を含むことを特徴とするDNAチップ。
【請求項１６】
請求項2もしくは3記載のポリペプチドまたは請求項10記載の抗体を含むことを特徴とするタンパク質チップ。
【請求項１７】
医薬品の調製のための、
a）請求項1記載のヌクレオチド配列、
b）請求項2または3記載のポリペプチド、
c）請求項4〜7のいずれか一項記載のベクター、
d）請求項8記載の細胞、
e）請求項10記載の抗体、
から選択される化合物の使用。
【請求項１８】
医薬品がウイルス性疾患、または腫瘍細胞の発生もしくは細胞変性を特徴とする疾患の、予防および／または治療を目的とすることを特徴とする、請求項17記載の使用。
【請求項１９】
疾患が癌であることを特徴とする、請求項18記載の使用。
【請求項２０】
ウイルス性疾患または腫瘍の発生もしくは細胞変性を特徴とする疾患の診断および／または予後評価のための方法であって、検査しようとする患者の生物試料由来の、配列番号：72に対応する少なくとも1つの配列の発現の分析を含む方法。
【請求項２１】
以下の段階を含む、請求項20記載の診断および／または予後評価の方法：
検査しようとする患者から入手した生物試料由来のメッセンジャーRNAを単離する段階、
該メッセンジャーRNA由来の相補的DNAを調製する段階、
選択的に、配列番号：72に対応する少なくとも1つの配列に対応する相補的DNAの一部を増幅する段階、および
選択的に増幅された相補的DNAを検出する段階。
【請求項２２】
配列の発現の分析を請求項15記載のDNAチップを用いて行う、請求項21記載の診断および／または予後評価の方法。
【請求項２３】
請求項1記載のヌクレオチド配列と相互作用しうる化合物のスクリーニングのための方法であって、以下の段階を含むことを特徴とする方法：
請求項1記載のヌクレオチド配列または請求項8記載の細胞を候補化合物と接触させる段階、および
該候補化合物と該ヌクレオチド配列または該細胞との複合体の形成を検出する段階。
【請求項２４】
請求項2または3記載のポリペプチドと結合しうる化合物のスクリーニングのための方法であって、以下の段階を含むことを特徴とする方法：
請求項2もしくは3記載のポリペプチドまたは請求項8記載の細胞を候補化合物と接触させる段階、および
該候補化合物と該ポリペプチドまたは該細胞との複合体の形成を検出する段階。
【請求項２５】
生物試料における、請求項1記載のヌクレオチド配列の検出および／またはアッセイの方法であって、以下の段階を含むことを特徴とする方法：
請求項1記載の標識ヌクレオチド配列と、検査しようとする生物試料とを、ハイブリッドの形成のために必要な条件下で接触させる段階、および
該ヌクレオチド配列と該生物試料中に存在する核酸との間に形成されたハイブリッドを検出および／またはアッセイする段階。
【請求項２６】
請求項1に定義されたヌクレオチド配列から選択されたプライマーを利用して生物試料の核酸を増幅する段階を含むことを特徴とする、請求項25記載の検出および／またはアッセイの方法。
【請求項２７】
請求項15に定義されたDNAチップを用いて行うことを特徴とする、請求項25または26記載の検出および／またはアッセイの方法。
【請求項２８】
生物試料における請求項2または3に定義されたポリペプチドの検出および／またはアッセイの方法であって、以下の段階を含むことを特徴とする方法：
生物試料を請求項10に定義された標識抗体と接触させる段階、
該抗体と該試料中に存在する該ポリペプチドとの間に形成された複合体を検出および／またはアッセイする段階。
【請求項２９】
請求項16に定義されたタンパク質チップを用いて行うことを特徴とする、請求項28記載のポリペプチドの検出および／またはアッセイの方法。
【手続補正書】
【提出日】平成17年3月28日(2005.3.28)
【手続補正１】
【補正対象書類名】特許請求の範囲
【補正対象項目名】全文
【補正方法】変更
【補正の内容】
【特許請求の範囲】
【請求項１】
132位、134位、170位および181位のうちの少なくとも１つの置換以外は配列番号1の配列を有する、配列番号1の変異体であるポリペプチド。
【請求項２】
前記置換が132および134の両方の置換である、請求項１に記載のポリペプチド。
【請求項３】
前記置換がK132E:R134Eである、請求項２に記載のポリペプチド。
【請求項４】
前記置換が170および181の両方の置換である、請求項１に記載のポリペプチド。
【請求項５】
前記置換がK170E:R181Eである、請求項４に記載のポリペプチド。
【請求項６】
132〜181の領域を保持し、さらに溶液中でヘパリン依存的二量化を示しかつMET受容体に対するアゴニストとして作用する能力を保持する、請求項１〜５のいずれか１項に記載のポリペプチドの断片。
【請求項７】
製薬上許容される希釈剤または担体とともに請求項１〜６のいずれか１項に記載のポリペプチドを含んでなる、組成物。
【請求項８】
MET受容体を発現する細胞の増殖を刺激する方法であって、請求項１〜６のいずれか１項に記載のポリペプチドを該細胞と接触させることを含んでなる、前記方法。
【請求項９】
NK1ポリペプチドまたは請求項１〜６のいずれか１項に記載のポリペプチドから選択されるポリペプチドを含む、細胞増殖の刺激が必要な疾病状態にある患者の治療法に使用するための医薬組成物。
【請求項１０】
NK1ポリペプチドまたは請求項１〜６のいずれか１項に記載のポリペプチドから選択されるポリペプチドを含む、N-アセチル-p-アミノフェノールを摂取した患者における肝臓障害の治療または予防に使用するための医薬組成物。
【請求項１１】
NK1ポリペプチドまたは請求項１〜６のいずれか１項に記載のポリペプチドから選択されるポリペプチドを含む、肝不全または肝臓疾患の治療または予防に使用するための医薬組成物。
【請求項１２】
請求項１〜６のいずれか１項に記載のポリペプチドをコードする、ポリヌクレオチド。
【請求項１３】
プロモーターに機能しうる形で連結された請求項１２に記載のポリヌクレオチドを含んでなる、発現ベクター。
【請求項１４】
請求項１３に記載のベクターを保有する、宿主細胞。
【手続補正書】
【提出日】平成17年2月18日(2005.2.18)
【手続補正１】
【補正対象書類名】特許請求の範囲
【補正対象項目名】全文
【補正方法】変更
【補正の内容】
【特許請求の範囲】
【請求項１】
イソプレノイド化合物を生成するための方法であって、
（ａ）イソプレノイド合成酵素を含む第１の組換えタンパク質及びチトクロームＰ４５０ポリペプチドを含む第２の組換えタンパク質を発現するために適した条件下に宿主細胞を培養し、ここで前記第１及び第２の組換えタンパク質が前記宿主細胞によって正常には生成されないイソプレノイド化合物の形成を触媒するステップと：
（ｂ）前記イソプレノイド化合物を回収するステップと、
を含む前記方法。
【請求項２】
前記チトクロームＰ４５０ペプチドが、ＳＥＱ ＩＤ ＮＯ：１のアミノ酸配列を含むポリペプチド、ＳＥＱ ＩＤ ＮＯ：３のアミノ酸配列を含むポリペプチド、ＳＥＱ ＩＤ ＮＯ：５のアミノ酸配列を含むポリペプチド、及びＳＥＱ ＩＤ ＮＯ：７のアミノ酸配列を含むポリペプチドからなる群から選択される、請求項１に記載の方法。
【請求項３】
前記宿主細胞が、アセチルトランスフェラーゼ、メチルトランスフェラーゼ、及び脂肪アシルトランスフェラーゼからなる群から選択される第３の組換えタンパク質を更に含む、請求項１に記載の方法。
【請求項４】
前記宿主細胞が内因性又は組換えチトクローム還元酵素を発現する、請求項１に記載の方法。
【請求項５】
前記宿主細胞が酵母細胞、細菌細胞、昆虫細胞、又は植物細胞である、請求項１に記載の方法。
【請求項６】
組換えイソプレノイド合成酵素及び組換えチトクロームＰ４５０ポリペプチドを発現し、酵母細胞、細菌細胞、昆虫細胞、及び植物細胞からなる群から選択される宿主細胞。
【請求項７】
前記宿主細胞が組換えアセチルトランスフェラーゼ、組換えメチルトランスフェラーゼ、又は組換え脂肪アシルトランスフェラーゼを更に発現し、内因性又は組換えチトクローム還元酵素を発現する、請求項６に記載の宿主細胞。
【請求項８】
ＳＥＱ ＩＤ ＮＯ：１又はＳＥＱ ＩＤ ＮＯ：３のアミノ酸配列と８０％の同一性を有する単離チトクロームＰ４５０ポリペプチド。
【請求項９】
ＳＥＱ ＩＤ ＮＯ：５又はＳＥＱ ＩＤ ＮＯ：７のアミノ酸配列と８５％の同一性を有する単離チトクロームＰ４５０ポリペプチド。
【請求項１０】
前記ポリペプチドがＳＥＱ ＩＤ ＮＯ：１１のアミノ酸配列と９７％の同一性を有する単離チトクロームＰ４５０ポリペプチド。
【請求項１１】
ＳＥＱ ＩＤ ＮＯ：１、ＳＥＱ ＩＤ ＮＯ：３、又はＳＥＱ ＩＤ ＮＯ：１１のアミノ酸配列と８０％の同一性を有するポリペプチドをコード化する単離チトクロームＰ４５０核酸分子。
【請求項１２】
前記核酸分子がＳＥＱ ＩＤ ＮＯ：１を含む、請求項１１に記載の単離核酸分子。
【請求項１３】
前記核酸分子がＳＥＱ ＩＤ ＮＯ：３を含む、請求項１１に記載の単離核酸分子。
【請求項１４】
前記核酸分子がＳＥＱ ＩＤ ＮＯ：１１を含む、請求項１１に記載の単離核酸分子。
【請求項１５】
ＳＥＱ ＩＤ ＮＯ：５又はＳＥＱ ＩＤ ＮＯ：７のアミノ酸配列と８５％の同一性を有するポリペプチドをコード化する単離チトクロームＰ４５０核酸分子。
【請求項１６】
前記核酸がチトクロームＰ４５０ポリペプチドをコード化する、ＳＥＱ ＩＤ ＮＯＳ：２、４、６又は７に記載された配列の補体のいずれか１つに対してきわめて厳格
な条件下に特異的にハイブリッド形成する単離核酸分子。
【請求項１７】
請求項１１〜１５のいずれか１つの単離核酸分子からなる群から選択される単離核酸分子を含むベクター。
【請求項１８】
請求項１１〜１５のいずれか１つの単離核酸分子からなる群から選択される単離核酸分子を含む宿主細胞。
【請求項１９】
変化化合物を生成するための方法であって、水酸化、酸化、脱メチル化、メチル化、又は前記化合物の前記酵素活性のいずれかの組合せを可能にする条件下に請求項８又は９の単離ポリペプチドと前記化合物を接触させ、前記変化化合物を回収するステップを含む前記方法。
【請求項２０】
請求項８又は９の単離ポリペプチドを含む水酸化剤。
【手続補正書】
【提出日】平成16年10月27日(2004.10.27)
【手続補正１】
【補正対象書類名】特許請求の範囲
【補正対象項目名】全文
【補正方法】変更
【補正の内容】
【特許請求の範囲】
【請求項１】
２０ないし４０重量％の脂肪族Ｃ2-6 アルコール；
２０ないし４０重量％の脂肪族Ｃ2-6 アミノアルコール；
２０ないし５０重量％の環状Ｃ2-5 酸アミドおよび／または脂肪族Ｃ2-6 ジアミン；及び
０．５ないし２．６モル／Ｌのアルカリ金属アルコキシド（アルカリ金属アルコラート、アルカリ金属アルカノラート）および／またはアルカリ金属アミノアルコキシド（アルカリ金属アミノアルコラート、アルカリ金属アミノアルカノラート）を含んで成る、塩基性、非水性の除染流体。
【請求項２】
アルカリ金属アルコキシドがＣ1-6 アルコキシドより選択されるものであることを特徴とする、請求項１に記載の除染流体。
【請求項３】
アルカリ金属アルコキシド（アルコラート、アルカノラート）およびそれらのイオンが、対応する純アルカリ金属またはアルカリ金属水酸化物あるいは市販のアルカリ金属アルコキシドを溶媒成分に導入することによって形成されることを特徴とする、請求項１に記載の除染流体。
【請求項４】
含まれる脂肪族アルコールがプロパノールおよび／またはブタノールであることを特徴とする、請求項１ないし請求項３のいずれか一項に記載の除染流体。
【請求項５】
含まれるアミノアルコールが２−アミノ−１−ブタノール、Ｎ，Ｎ−ジメチルアミノエタノールおよび／またはＮ−メチルジイソプロパノールアミンである、請求項１ないし請求項４のいずれか一項に記載の除染流体。
【請求項６】
含まれる環状酸アミドがＮ−メチル−２−ピロリドンである、請求項１ないし請求項５のいずれか一項に記載の除染流体。
【請求項７】
１０重量％までのジオールおよび／または
２０重量％までの液状の脂肪族もしくは芳香族炭化水素
を共溶媒として更に含む、請求項１ないし請求項６のいずれか一項に記載の除染流体。
【請求項８】
請求項１ないし請求項７のいずれか一項に記載の除染流体を適用することを特徴とする、表面の除染方法。
【請求項９】
前記表面が塗装表面、ポリマー被覆表面またはプラスチック表面であることを特徴とする、請求項８に記載の方法。
【請求項１０】
除染流体を０．０５ないし０．２Ｌ／ｍ2 表面積の量で適用することを特徴とする、請求項８に記載の方法。
【請求項１１】
除染流体をスプレーすることにより適用することを特徴とする、請求項１０に記載の方法。
【請求項１２】
除染流体を５ないし１５分間作用させ、次に濯ぎ落すことを特徴とする、請求項８ないし請求項１１のいずれか一項に記載の方法。
【請求項１３】
除染流体で処理した表面を冷水、温水または熱水あるいは過熱蒸気で処理して、除染流体および反応生成物を濯ぎ落すことを特徴とする、請求項８ないし請求項１２のいずれか一項に記載の方法。
【手続補正書】
【提出日】平成17年3月11日(2005.3.11)
【手続補正１】
【補正対象書類名】明細書
【補正対象項目名】請求項２３
【補正方法】変更
【補正の内容】
【請求項２３】  請求項１のシリンジ組立品を提供する工程と；
前記シリンジ組立品を滅菌ガス中に浸漬する工程であって、前記滅菌ガスが前記ニードルシールドを透過して、前記ニードルカニューレを滅菌する工程と
を含むことを特徴とする滅菌されたシリンジ組立品を作製する方法。
【手続補正書】
【提出日】平成17年2月18日(2005.2.18)
【手続補正１】
【補正対象書類名】特許請求の範囲
【補正対象項目名】全文
【補正方法】変更
【補正の内容】
【特許請求の範囲】
【請求項１】
実質的に平坦な底面を有し、前記底面に締結フックを備える清掃支持部材と、
清掃支持部材の前記底面に解除自在に取り付けられる可逆清掃パッドであって、前記清掃パッドが第１面と第２面とを備え、前記清掃パッドの前記第１面が、第１清掃ウェブ材料を含み、前記清掃パッドの前記第２面が第２清掃ウェブ材料を含み、両方のウェブ材料を締結フックに直接取り付けることができる可逆清掃パッドと、
を備える清掃器具。
【請求項２】
前記第１清掃ウェブ材料が乾燥状態、湿った状態および湿潤状態における清掃に適しており、マイクロファイバーウェブ材料を含む、請求項１に記載の清掃器具。
【請求項３】
実質的に平坦な底面を有し、前記底面上に締結フックを備える清掃支持部材と、
第１面と第２面とを備える可逆清掃パッドであって、前記清掃パッドの前記第１面が第１清掃ウェブ材料を含み、前記清掃パッドの前記第２面が第２清掃ウェブ材料を含み、両方のウェブ材料は前記清掃支持部材の締結フックに直接取り付けることができる可逆清掃パッドと、
を含むキット。
【手続補正書】
【提出日】平成17年2月9日(2005.2.9)
【手続補正１】
【補正対象書類名】明細書
【補正対象項目名】特許請求の範囲
【補正方法】変更
【補正の内容】
【特許請求の範囲】
【請求項１】
生体液容器であって、
内容積があり、第一側壁と第二側壁を有し、各壁がエチレンとブチルアクリレートを含むコポリマーから製造された高分子膜の単一層である、
前記容器。
【請求項２】
生体液容器であって、
内容積があり、第一側壁と第二側壁を有し、該壁がエチレンとメチルアクリレートを含むコポリマーから製造された高分子膜を含む、
前記容器。
【請求項３】
該コポリマーがエチレンと少なくとも約２０重量％のブチルアクリレートを含む、請求項１記載の容器。
【請求項４】
該コポリマーがエチレンと少なくとも約２０重量％のメチルアクリレートを含む、請求項２記載の容器。
【請求項５】
該コポリマーがエチレンと少なくとも約２２重量％のブチルアクリレートを含む、請求項１記載の容器。
【請求項６】
該コポリマーがエチレンと少なくとも約２２重量％のメチルアクリレートを含む、請求項２記載の容器。
【請求項７】
該壁が、エチレンとメチルアクリレートを含む少なくとも２種のコポリマーから製造された高分子膜を含む、請求項２記載の容器。 
【請求項８】
高周波密封性容器を含む、請求項１〜７のいずれか１項に記載の容器。
【請求項９】
生体液を処理するためのシステムであって、
請求項１〜８のいずれかの容器と、
可撓性中空コンジットと、
第一側壁と第二側壁、少なくとも二つのポートを有する追加の容器であって、前記容器間に介在し、これらと流体で連通している、前記追加の容器と、
を有する、前記システム。
【請求項１０】
前記可撓性中空コンジットが、エチレンとアクリレートを含む少なくとも一種のコポリマーから製造される、請求項９記載のシステム。
【請求項１１】
密閉システムを含む、請求項９〜１０のいずれか１項に記載のシステム。
【請求項１２】
生体液の処理方法であって、
請求項１〜９のいずれか１項に記載の容器に生体液を入れるステップと、
該容器内で該生体液を保存するステップと、
を含む、前記方法。
【請求項１３】
該生体液が血小板添加溶液と混合した血漿除去血小板含有生体液を含む、請求項１２記載の方法。
【請求項１４】
血小板添加溶液と混合した該血漿除去血小板含有生体液を少なくとも２日間保存するステップを含む、請求項１３記載の方法。
【請求項１５】
該生体液を少なくとも２日間保存するステップを含む、請求項１２記載の方法。
【請求項１６】
生体液の処理方法であって、
血小板含有生体液を入手するステップと、
該血小板含有生体液と血小板添加溶液とを混合して血小板含有血小板添加溶液混合物を得るステップと、
血小板含有液と添加溶液含有液を、第一側壁と第二側壁を有する容器に入れるステップであって、該壁がエチレンとアルキルアクリレートを含むコポリマーから製造された高分子膜を含み、該アルキルアクリレートがブチルアクリレート又はメチルアクリレートを含む、前記ステップと、
を含む、前記方法。
【請求項１７】
血小板含有生体液を入手し、該血小板含有生体液から血漿を除去して血漿除去血小板含有液を得るステップと、
該血漿除去血小板含有液と該血小板添加溶液とを混合して該血小板含有血小板添加溶液混合物を得るステップと、
を含む、請求項２３記載の方法。
【請求項１８】
該容器内の該血小板含有液と添加溶液含有液中の残留タンパク質濃度が非血漿除去血小板含有生体液のタンパク質濃度の約３５％以下である、請求項１７記載の方法。
【請求項１９】
該血小板含有液と添加溶液含有液を該容器内で少なくとも２日間保存するステップを更に含む、請求項１６〜１８のいずれか１項に記載の方法。
【請求項２０】
該血小板含有液と添加溶液含有液を該容器内で少なくとも５日間保存するステップを含む、請求項１９記載の方法。
【手続補正書】
【提出日】平成16年10月1日(2004.10.1)
【手続補正１】
【補正対象書類名】特許請求の範囲
【補正対象項目名】請求項３６
【補正方法】変更
【補正の内容】
【請求項３６】
前記コントローラが、前記輸送器に指示して試料処理コンポーネントのグループを試料受入要素のクラスターに挿入し且つ除去し、また、ローター位置決め機構に指示して別のクラスターが当該グループに近接するまで前記試料処理コンポーネントのグループに対してローターを回転させる、請求項３０記載の自動遠心分離システム。
【手続補正２】
【補正対象書類名】特許請求の範囲
【補正対象項目名】請求項３８
【補正方法】変更
【補正の内容】
【請求項３８】
前記ロボットがローター内にて容器を位置決めできるように、若しくは前記輸送器が試料処理コンポーネントを試料受入要素に挿入できるように、又はその両方可能なように、前記ロボット若しくは前記輸送器又はその両方に対してローターの回転を制御するシステムソフトウエアを備える、請求項３０記載の自動遠心分離システム。
【手続補正３】
【補正対象書類名】特許請求の範囲
【補正対象項目名】請求項１０２
【補正方法】変更
【補正の内容】
【請求項１０２】
基準インデクスを用いて前記試料処理コンポーネントに対して空洞を位置決めする工程を含む、請求項９３記載の方法。
【手続補正書】
【提出日】平成15年10月29日(2003.10.29)
【手続補正１】
【補正対象書類名】特許請求の範囲
【補正対象項目名】全文
【補正方法】変更
【補正の内容】
【特許請求の範囲】
【請求項１】
インクジェット法により基板上に材料を蒸着するための溶媒において、相対的に高い沸点を有し、かつ蒸着される材料に関して相対的に低い溶解度を示す第１の溶媒成分、及び相対的に低い沸点を有し、かつ蒸着される材料に関して高い溶解度を示す第２の溶媒成分からなる溶媒系に、基板上に蒸着される材料を溶解することを特徴とする蒸着用材料混合溶媒の配合方法。
【請求項２】
第２の溶媒成分が１００から２００℃の範囲の沸点を有する請求項１に記載の配合方法。
【請求項３】
第１の溶媒成分が１３０から３００℃の範囲の沸点を有する請求項１に記載の配合方法。
【請求項４】
第１の溶媒と第２の溶媒の沸点の差が３０から２５０℃の範囲である請求項１に記載の配合方法。
【請求項５】
第１の溶媒と第２の溶媒の沸点の差が７０から１５０℃の範囲である請求項１に記載の配合方法。
【請求項６】
第１の溶媒成分に対する蒸着される材料の溶解度が最大で容量当り０．５重量％であることを特徴とする請求項１ないし５のいずれかに記載の配合方法。
【請求項７】
第１の溶媒成分に対する蒸着される材料の溶解度が容量当り０．０３から０．３重量％であることを特徴とする請求項１ないし６のいずれかに記載の配合方法。
【請求項８】
第２溶媒成分に対する蒸着される材料の溶解度が容積当り０．５重量％を超えることを特徴とする請求項１ないし７のいずれかに記載の配合方法。
【請求項９】
第２溶媒成分に対する蒸着される材料の溶解度が容積当り１．５重量％を超えることを特徴とする請求項８に記載の配合方法。
【請求項１０】
第１溶媒成分の配合割合が、第２溶媒成分の除去によって、第１溶媒成分中の材料の残留溶液が実質的に飽和又は過飽和状態になるかどうかによって決められることを特徴とする請求項１ないし９のいずれかに記載の配合方法。
【請求項１１】
第１溶媒成分がα−テトラロンからなり、第２溶媒成分が１，２−ジメチルベンゼンからなる請求項１に記載の配合方法。
【請求項１２】
第１溶媒成分がシクロヘキシルベンゼンからなり、第２溶媒成分が１，２−ジメチルベンゼンからなる請求項１に記載の配合方法。
【請求項１３】
第１溶媒成分がキシレン及び１，２，４−トリメチルベンゼンからなり,第２溶媒成分がイソプロピルビフェニルからなる請求項１に記載の配合方法。
【請求項１４】
請求項１ないし１３のいずれかに記載の配合方法によって得られた材料の溶液を用いて、インクジェット技術によってノズルを通して１又は２以上の材料の溶媒を基板に蒸着し、それぞれの蒸着滴を乾燥させることからなる材料を基板に蒸着する方法。
【請求項１５】
基板上に蒸発した一滴の材料の厚さの変化が最大厚さの３０％以下となる請求項１４に記載の方法。
【請求項１６】
輸送体が電極及び電子冷光放射性材料間を移動できるように２つの電極に挟まれた電子冷光放射性材料からなる冷光放射装置の製造方法において、請求項１４又は１５に記載の方法によって冷光放射性材料の層が形成される冷光放射性装置の製造方法。
【請求項１７】
環状の蒸着による影響を減少させるか又は避けるための請求項１ないし１３のいずれかに記載の配合方法。
【手続補正書】
【提出日】平成15年12月9日(2003.12.9)
【手続補正１】
【補正対象書類名】特許請求の範囲
【補正対象項目名】請求項１４
【補正方法】変更
【補正の内容】
【請求項１４】
前記遠隔監視ユニットの前記マイクロプロセッサは、
前記少なくとも一つの送受信機を介する通信接続が利用できる場合に、前記少なくとも一つの送受信機を介して全データセットを送信する第１処理ルーチンと、
前記少なくとも一つの送受信機を介する通信接続が利用できない場合に、前記第３ネットワーク送受信機を介して縮小データセットを送信する第２処理ルーチンとを含む請求項１０の医療監視システム。
【手続補正書】
【提出日】平成17年5月6日(2005.5.6)
【手続補正１】
【補正対象書類名】特許請求の範囲
【補正対象項目名】全文
【補正方法】変更
【補正の内容】
【特許請求の範囲】
【請求項１】
近位端および遠位端を有した円筒状の本体を備え、
前記円筒状の本体が近位側の部分、遠位側の部分、および中央部分を有し、
前記中央部分が、前記近位側の部分および前記遠位側の部分の拡げられた直径よりも大きい拡げられた直径を有している、
ことを特徴とするステント。
【請求項２】
前記円筒状の本体が共通の縦軸に沿って整列配置された複数のリングを有していることを特徴とする請求項１に記載のステント。
【請求項３】
前記近位側の部分、前記遠位側の部分、および前記中央部分のそれぞれが、複数の第１の頂部を具備した少なくとも一つのリングを有していることを特徴とする請求項２に記載のステント。
【請求項４】
前記近位側の部分のリングが４乃至１２の第１の頂部を有し、前記遠位側の部分のリングが４乃至１２の第１の頂部を有し、前記中央部分のリングが５乃至１５の第１の頂部を有していることを特徴とする請求項３に記載のステント。
【請求項５】
前記近位側の部分のリングが７つの第１の頂部を有し、前記遠位側の部分のリングが６つの第１の頂部を有し、前記中央部分のリングが８つの第１の頂部を有していることを特徴とする請求項３に記載のステント。
【請求項６】
前記中央部分のリングの第１の頂部の数が前記近位側部分あるいは前記遠位側部分の任意のリングの第１の頂部の数よりも大きいことを特徴とする請求項３に記載のステント。
【請求項７】
隣接する前記リングがリンクによって接続されていることを特徴とする請求項２に記載のステント。
【請求項８】
前記リングは、隣接するリング間の少なくとも１つのリンクによって接続されていることを特徴とする請求項２に記載のステント。
【請求項９】
前記リンクのうちの少なくともいくつかが直線状の部分を有していることを特徴とする請求項８に記載のステント。
【請求項１０】
前記リンクのうちの少なくともいくつかが湾曲した部分を有していることを特徴とする請求項８に記載のステント。
【請求項１１】
前記リンクのうちの少なくともいくつかが直線状の部分および湾曲した部分を有していることを特徴とする請求項８に記載のステント。
【請求項１２】
前記リンクのうちの少なくともいくつかが非線形な部分を有していることを特徴とする請求項８に記載のステント。
【請求項１３】
前記遠位側の開口および前記近位側の開口がステントの縦軸に沿って整列配置されていることを特徴とする請求項１に記載のステント。
【請求項１４】
前記中央の開口が、前記遠位側の開口と前記近位側の開口との整列配置に対し半径方向にオフセットしていることを特徴とする請求項１３に記載のステント。
【請求項１５】
前記リングが少なくとも一つの第２の頂部を有していることを特徴とする請求項２に記載のステント。
【請求項１６】
前記少なくとも一つの第２の頂部のうちの少なくともいくつかがリンクに接続されていることを特徴とする請求項１５に記載のステント。
【請求項１７】
前記ステントが金属から成形されていることを特徴とする請求項１に記載のステント。
【請求項１８】
前記金属がステンレス鋼、チタン、ニッケル−チタン、コバルト−クロム、コバルト−クロム−バナジウム、コバルト−クロム−タングステン、金、銀、プラチナ、若しくはプラチナイリジウムを含むグループから選択されることを特徴とする請求項１７に記載のステント。
【請求項１９】
前記ステントが、薬物による少なくとも一つのレイヤでコーティングされていることを特徴とする請求項１に記載のステント。
【請求項２０】
前記ステントが、治療のための薬剤による少なくとも一つのレイヤでコーティングされていることを特徴とする請求項１に記載のステント。
【請求項２１】
前記ステントの少なくとも一部が、治療のための薬剤による少なくとも一つのレイヤでコーティングされていることを特徴とする請求項１に記載のステント。
【請求項２２】
前記ステントの少なくとも一部が前記ステントに付着する下塗り材料でコーティングされており、前記下塗り材料が治療のための薬剤若しくは薬物による少なくとも一つのレイヤでコーティングされていることを特徴とする請求項１に記載のステント。
【請求項２３】
二股に分岐している脈管を治療するためのステントおよびステント配送カテーテル組立体であって、
近位側の部分、遠位側の部分および中央部分を有しているステントと、
近位側カテーテルシャフトと中間カテーテルシャフトおよびそれを貫通して延びるＯＴＷガイドワイヤ管腔を有するとともに、近位端および遠位端を有している細長いカテーテル本体と、
前記中間カテーテルシャフトの遠位端に取り付けられるとともに、遠位端および近位端を有し、かつ前記遠位端がＲｘガイドワイヤ管腔および行き止まりのカプラ管腔を有しているＲｘカテーテル部分と、
前記中間カテーテルシャフトの遠位端に取り付けられるとともに前記近位側カテーテルシャフト内の前記ＯＴＷガイドワイヤ管腔に連絡するＯＴＷガイドワイヤ管腔を有しているＯＴＷカテーテル部分と、を備え、
前記ステントが前記Ｒｘカテーテル部分および前記ＯＴＷカテーテル部分の遠位側の部分上に取り付けられていることを特徴とするステントおよびステント配送カテーテル組立体。
【請求項２４】
前記Ｒｘカテーテル部分がその遠位端に拡張可能な部材を有しており、前記ＯＴＷカテーテル部分がその遠位側の部分に拡張可能な部材を有していることを特徴とする請求項２３に記載のステントおよび配送カテーテル組立体。
【請求項２５】
前記Ｒｘカテーテル部分の拡張可能な部材が、前記ＯＴＷカテーテル部分の拡張可能な部材よりも長いことを特徴とする請求項２４に記載のステントおよびステント配送カテーテル組立体。
【請求項２６】
前記ＯＴＷカテーテル部分の拡張可能な部材が前記ステントの中央部分を通って延びており、前記Ｒｘカテーテル部分の拡張可能な部材が前記ステントの近位側および遠位側の部分を通って延びていることを特徴とする請求項２５に記載のステントおよびステント配送カテーテル組立体。
【請求項２７】
少なくともいくつかが残りの部分の直径よりも大きな直径を有している、共通の縦軸に沿って位置合わせされた複数のリングと、
側方分岐脈管への開口に対向配置されるために拡張可能に構成された、このステント上に配置された中央開口と、
を備えることを特徴とするステント。
【請求項２８】
前記ステントが前記ステント縦軸に沿って実質的に整列配置された近位側の開口および遠位側の開口を有していることを特徴とする請求項２７に記載のステント。
【請求項２９】
前記中央の開口が前記遠位側の開口と前記近位側の開口との整列配置に対し半径方向にオフセットしていることを特徴とする請求項２８に記載のステント。
【請求項３０】
前記ステントの少なくとも一部が治療のための薬剤若しくは薬物でコーティングされていることを特徴とする請求項２７に記載のステント。
【手続補正書】
【提出日】平成17年1月25日(2005.1.25)
【手続補正１】
【補正対象書類名】特許請求の範囲
【補正対象項目名】全文
【補正方法】変更
【補正の内容】
【特許請求の範囲】
【請求項１】
飲用に適したアルコール類の製造方法において、内部循環を用いるガスリフトバイオリアクターを用いて連続発酵段階を行い、そこで酸素供給を制限して自己凝集により固定化されたフロック形成酵母を用いて発酵可能な糖類を含む麦汁を先ず発酵させ、連続発酵プロセスからの少なくとも部分的に発酵された発酵物を仕上げのためのバッチ処理工程に移すことを特徴とする方法。
【請求項２】
該飲用に適したアルコール類がビールである請求項１記載の方法。
【請求項３】
ビールがペールスタイルのビールである請求項２記載の方法。
【請求項４】
該ビールがラガーである請求項３記載の方法。
【請求項５】
該ビールが北アメリカスタイルのビールである請求項１記載の方法。
【請求項６】
該酵母が高フロック形成酵母または超フロック形成酵母である請求項１記載の方法。
【請求項７】
該発酵が主発酵である請求項１記載の方法。
【請求項８】
発酵前に麦汁に二酸化炭素がスパージされる請求項１記載の方法。
【請求項９】
リアクターが約３％の酸素を含有する二酸化炭素スパージガスを用いるものである請求項１記載の方法。
【請求項１０】
主発酵の完了が該バッチホールド段階において行われるものである請求項１記載の方法。
【請求項１１】
ダイアセチル濃度の低下が行われる請求項１０記載の方法。
【請求項１２】
アセトアルデヒド濃度の低下が行われる請求項１０記載の方法。
【請求項１３】
バッチホールドプロセッシング段階において高級フーゼルアルコール濃度が実質的に維持される請求項１０記載の方法。
【請求項１４】
連続発酵段階からの生成物が多岐管を通して複数のバッチホールド容器に分配され、そこで該バッチホールドプロセスが行われる請求項１記載の方法。
【請求項１５】
該連続プロセスが、その後のバッチ発酵をバッチホールド段階にて開始させるためのものである請求項１記載の方法。
【手続補正書】
【提出日】平成16年1月5日(2004.1.5)
【手続補正１】
【補正対象書類名】特許請求の範囲
【補正対象項目名】全文
【補正方法】変更
【補正の内容】
【特許請求の範囲】
【請求項１】
ハウジングと、
前記ハウジングと連結した切り込み装置であって、前記切り込み装置は挿通端を持った挿通部分を含み、挿通部分は内部側と外部側とを持ち、外部側は挿通部分の皮膚内への挿入のあいだは皮膚に関して非直角となった部分を含むような形状になっており、前記ハウジングおよび前記切り込み装置の少なくとも一つは挿通端に隣接する挿通部分の内部側に入口開口を持ったサンプリング通路を定めるようになった切り込み装置、
とを備えてなる、皮膚への切り込みから体液を採取するのに用いるサンプリング装置。
【請求項２】
サンプリング通路が毛細管通路である請求項１記載のサンプリング装置。
【請求項３】
サンプリング通路と液連通して前記切り込み装置に接続された試験システムを含む請求項１記載のサンプリング装置。
【請求項４】
前記試験システムが試験片からなる請求項３記載のサンプリング装置。 
【請求項５】
前記切り込み装置がサンプリング通路を定める湾曲した、中空の針からなる請求項１記載のサンプリング装置。 
【請求項６】
前記ハウジングが前記ハウジング内に取り付けられてサンプリング通路を定める請求項１記載のサンプリング装置。
【請求項７】
システムハウジングと、
カートリッジハウジングとカートリッジハウジングに連結された切り込み装置とを含むサンプリング装置であって、切り込み装置は挿通端を持った挿通部分を含み、挿通部分は内部側と外部側とを持ち、外部側は挿通部分の皮膚内への挿入のあいだは皮膚に関して非直角となった部分を含むような形状になっており、カートリッジハウジングおよび切り込み装置の少なくとも一つは挿通端に隣接する挿通部分の内部側に入口開口を持ったサンプリング通路を定めるようになっており、前記サンプリング装置は前記システムハウジングに取り付けられて人の皮膚への切り込みを作り出すための第１の伸長した位置と、切り込み部で収集した体液を受取るための第２の後退した位置とを持ったものと、
からなる、皮膚への切り込みから体液を採取するのに用いるサンプリング装置。
【請求項８】
第１と第２位置とのあいだに前記サンプリング装置を動かす手段を含む請求項７記載のサンプリングシステム。
【請求項９】
サンプリング通路が毛細管通路である請求項７記載のサンプリング装置。
【請求項１０】
請求項７記載のサンプリング装置であって、さらにサンプリング通路と液連通して切り込み装置に接続された試験システムを含むもの。 
【請求項１１】
切り込み装置がサンプリング通路を定める湾曲した、中空の針からなる請求項７記載のサンプリング装置。 
【請求項１２】
前記カートリッジハウジングが切り込み装置から離れてサンプリング通路を定める請求項７記載のサンプリング装置。
【手続補正書】
【提出日】平成16年1月15日(2004.1.15)
【手続補正１】
【補正対象書類名】特許請求の範囲
【補正対象項目名】全文
【補正方法】変更
【補正の内容】
【特許請求の範囲】
【請求項１】
呼吸している患者の血圧上昇を促進する装置であって、該装置は、以下の部分を備える：
ハウジングであって、該ハウジングは、開口部を有し、該開口部は、患者の気道と連動するように適合されている；
流入弁であって、該流入弁は、患者の吸入が原因で該ハウジングを通る呼吸気体流れを増減するように作動可能であり、該流入弁は、該患者の胸への血液の還流を高めるために、胸腔内圧力を操縦するのを助ける；
該流入弁を操作して該ハウジングを通る該呼吸気体流れを変える機構；ならびに
センサであって、該センサは、該患者の少なくとも１つの生理学的パラメータを感知するように適合および構成されている、
装置。
【請求項２】
前記流入弁が、前記患者が１分あたり約０〜約７０リットルの範囲の流速で呼吸するとき、約０ｃｍＨ２Ｏ〜約−５０ｃｍＨ２Ｏの範囲内で、負胸腔内圧を達成するように作動可能である、請求項１に記載の装置。
【請求項３】
制御装置をさらに備え、該制御装置が、前記センサおよび前記機構に連結され、ここで、該制御装置が、該機構に信号を送信し、該センサが感知した生理学的パラメータに基づいて、前記流入弁を作動するように構成されている、請求項１に記載の装置。
【請求項４】
前記センサが、圧力センサ、フローセンサ、ＣＯ２センサおよび酸素センサからなる群から選択される、請求項１に記載の装置。
【請求項５】
前記流入弁が、スロット付き開口部およびスロット付きプレートを含み、該スロット付きプレートが、該スロット付き開口部を横切って移動可能である、請求項１に記載の装置。
【請求項６】
前記流入弁が、気道および閉塞部材を含み、該閉塞部材が、該気道を横切って移動可能である、請求項１に記載の装置。
【請求項７】
前記流入弁が、気道および圧迫閉塞システムを含み、該圧迫閉塞システムが、該気道を圧迫する、請求項１に記載の装置。
【請求項８】
前記流入弁が、気道および虹彩閉塞システムを含む、請求項１に記載の装置。
【請求項９】
前記機構が、ステッピングモーターおよびシャフトを含み、該シャフトが、該ステッピングモーターから伸長している、請求項１に記載の装置。
【請求項１０】
前記ハウジングが、吸気ポートおよび呼気ポートを含み、フェースマスクをさらに含み、該フェースマスクが、該ハウジングに連結されている、請求項１に記載の装置。
【請求項１１】
前記患者に補足酸素または定期的補助人工呼吸を追加する手段をさらに備える、請求項１に記載の装置。
【手続補正書】
【提出日】平成17年2月21日(2005.2.21)
【手続補正１】
【補正対象書類名】特許請求の範囲
【補正対象項目名】全文
【補正方法】変更
【補正の内容】
【特許請求の範囲】
【請求項１】
脈管閉塞アセンブリであって、以下：
（ａ）移植可能装置であって、該移植可能装置は、軸方向管腔を有する、移植可能装置；および
（ｂ）液状薬剤であって、ここで、該液状薬剤は、該移植可能装置の該管腔内に注入され、さらに、ここで、該液状薬剤は、（ｉ）注入後、自己重合して、剛性または半剛性状態になるか、または（ｉｉ）該移植可能装置の該管腔に配置された１種またはそれ以上の追加薬剤と相互作用すると、重合する、液状薬剤、
を備える、アセンブリ。
【請求項２】
前記液状薬剤が、フィブリン、フィブリノーゲン、トロンビン、コラーゲン、ポリエチレングリコール、シアノアクリレート、微結晶ワックス組成物、セルロースアセテート重合体および可塑剤からなる群から選択される、請求項１に記載のアセンブリ。
【請求項３】
前記移植可能装置が、脈管閉塞コイルである、請求項１または２に記載のアセンブリ。
【請求項４】
前記液状薬剤が、数分間〜数時間にわたって、自己重合する、請求項１〜３のいずれか１項に記載のアセンブリ。
【請求項５】
前記液状薬剤が、前記移植可能装置の展開後に、前記管腔に注入される、請求項１〜４のいずれか１項に記載のアセンブリ。
【請求項６】
前記液状薬剤が、展開前に、前記管腔に注入される、請求項１〜４のいずれか１項に記載のアセンブリ。
【請求項７】
前記液状薬剤が、前記１種またはそれ以上の追加成分と接触すると、剛性または半剛性状態に重合する、請求項１〜３のいずれか１項に記載のアセンブリ。
【請求項８】
前記追加成分が、トロンビンまたはカルシウムである、請求項７に記載のアセンブリ。
【請求項９】
前記追加成分が、前記装置の展開前に、前記軸方向管腔内に配置される、請求項７または８に記載のアセンブリ。
【請求項１０】
前記追加成分が、前記装置の展開後に、前記軸方向管腔内に注入される、請求項７または８に記載のアセンブリ。
【請求項１１】
さらに、可撓性管状プッシャーを備え、該プッシャーが、前記装置の前記管腔に操作可能に連結される、請求項１〜１０のいずれか１項に記載のアセンブリ。
【請求項１２】
さらに、放射線不透過性材料を備える、請求項１〜１１のいずれか１項に記載のアセンブリ。
【請求項１３】
脈管閉塞アセンブリであって：
（ａ）移植可能装置であって、該移植可能装置は、高分子材料を含有する、移植可能装置；および
（ｂ）液状薬剤であって、該液状薬剤は、該移植可能装置の該高分子材料を少なくとも部分的に溶媒和できる、液状薬剤、
を備える、アセンブリ。
【請求項１４】
前記液状薬剤が、血液と少なくとも部分的に混和できる、請求項１３に記載のアセンブリ。
【請求項１５】
さらに、放射線不透過性材料を備える、請求項１３または１４に記載のアセンブリ。
【請求項１６】
前記放射線不透過性材料が、血液と少なくとも部分的に混和でき、そして前記液状薬剤と少なくとも部分的に混和できる、請求項１５に記載のアセンブリ。
【請求項１７】
前記高分子材料が、ポリエステル、ポリエーテル、ポリアミド、ポリフルオロカーボン、ポリエチレンテレフタレート、ポリウレタン、ポリアクリル、ポリ酢酸ビニル、酢酸セルロース、ポリビニルアルコール、ポリラクチド、ポリグリコリド、ポリ（ラクチド−ｃｏ−グリコリド）、ポリ（ｅ−カプロラクトン）、ポリ（ｐ−ジオキサノン）、ポリ（ラクチド−ｃｏ−トリメチレンカーボネート）、ポリヒドロキシブチレート、ポリヒドロキシバレレート、ポリ無水物およびポリオルトエステルからなる群から選択される、請求項１３〜１６のいずれか１項に記載のアセンブリ。
【請求項１８】
前記液状薬剤が、プロピレングリコール、ポリエチレングリコール、エタノール、ジメチルスルホキシド、Ｎ−メチル−２−ピロリドン、グリコフロール、Ｓｏｌｋｅｔａｌ、グリセロールホルマール、アセトン、テトラヒドロフルフリルアルコール、ジグリム、ジメチルイソソルビドおよび乳酸エチルからなる群から選択される、請求項１３〜１７のいずれか１項に記載のアセンブリ。
【請求項１９】
前記高分子材料が、前記移植可能装置の表面に被覆される、請求項１３〜１８のいずれか１項に記載のアセンブリ。